(57)【要約】      （修正有）【課題】ファクス情報の発信者に対してファクス受信の確認通知を行う。【解決手段】ファクス受信機能および電子メール送信機能を備えた本体部３を有するインターネット対応ファクシミリ装置１であって、予め発信元ファクス端末の電話番号とこの電話番号に対応した電子メールアドレスとを記憶する電話帳格納部１３を備え、前記本体部３が、受信されたファクスの発信元識別番号を取得する機能と、この発信元識別番号と前記電話帳格納部１３に記憶された電話番号とが一致する場合に予め設定された電子メールアドレスに電子メール送信を行うことを認証する機能と、この認証された電子メールアドレスに対して上記受信されたファクスの受信内容を送信する機能を有する。【選択図】図１
2008288805.tif 000002
【特許請求の範囲】
【請求項１】
ファクス受信機能および電子メール送信機能を備えた本体部を有するファクシミリ装置であって、
予めファクス相手端末として設定された発信元ファクス端末の電話番号とこの電話番号に対応した電子メールアドレスとを記憶する電話帳格納部を備え、
前記本体部が、ファクス受信に際して当該ファクスの発信元識別番号を取得する発信元識別番号取得機能と、前記取得された発信元識別番号と前記電話帳格納部に記憶された電話番号とが一致する場合にこの電話番号に対応した前記電子メールアドレスに電子メール送信を行うことを認証する電子メール送信認証機能と、前記認証された電子メールアドレスに前記受信されたファクスの受信内容を送信する受信内容メール送信機能とを有することを特徴とするファクシミリ装置。
【請求項２】
前記請求項１に記載のファクシミリ装置において、
前記本体部は、前記受信されたファクスの受信内容に基づき電子メール文を作成する電子メール文作成機能を備えたことを特徴とするファクシミリ装置。
【請求項３】
前記請求項１又は２に記載のファクシミリ装置において、
前記発信元識別番号は、前記受信内容に先立って送り込まれる発信元電話番号であることを特徴とするファクシミリ装置。
【請求項４】
前記請求項１又は２に記載のファクシミリ装置において、
前記発信元識別番号は、前記受信内容に含まれる発信元情報であることを特徴とするファクシミリ装置。
【請求項５】
ファクス受信機能および電子メール送信機能を有するファクシミリ装置が、ファクス情報を受信すると共に前記ファクス情報の発信者に対して受信されたファクス内容を通知するファクシミリ受信通達方法において、
前記ファクス情報の着信を示す呼出信号を検出すると共に前記ファクス情報の発信元番号を検出する発信元番号先行検出工程と、
前記ファクス情報の受信処理を行うファクス受信処理工程と、
前記検出された発信元番号と予め登録された電話番号との一致の有無を判定する番号一致判定工程と、
前記発信元番号および電話番号が一致すると判定された場合に、予めこの電話番号に対応して登録された電子メールアドレスに対する電子メールの送信を認証する確認メール送信認証工程と、
認証された電子メールアドレス宛に前記格納されたファクス情報を含む電子メール文書を送信する受信確認メール送信工程と、
を備えたことを特徴とするファクシミリ受信通達方法。
【請求項６】
前記請求項５に記載のファクシミリ受信通達方法において、
前記ファクス情報の着信を示す呼出信号を検出すると共に前記ファクス情報の受信処理を行うファクス受信先行処理工程と、前記ファクス情報の発信元番号を検出する発信元番号検出工程と、を前記発信元番号先行検出工程とファクス情報受信工程とに代えて備えたことを特徴とするファクシミリ受信通達方法。
【請求項７】
ファクス受信機能および電子メール送信機能を有するファクシミリ装置が、ファクス情報を受信すると共に前記ファクス情報の発信者に対して受信されたファクス内容を通知するためのファクシミリ受信通達プログラムにおいて、
前記ファクス情報に含まれる発信元番号を検出する発信元番号検出機能、
前記受信されたファクス情報の受信処理を行うファクス受信処理機能、
前記検出された発信元番号と予め登録された電話番号との一致の有無を判定する番号一致判定機能、
前記発信元番号および電話番号が一致すると判定された場合に前記電話番号に対応して登録された電子メールアドレスにメール送信を行うことを認証する確認メール送信認証機能、
前記認証された電子メールアドレス宛に前記格納されたファクス情報を含む電子メール文書を送信する受信確認メール送信機能、
を備えたことを特徴とするファクシミリ受信通達プログラム。
【発明の詳細な説明】
【技術分野】
【０００１】
本発明は、インターネット対応型のファクシミリ装置に関する。
【背景技術】
【０００２】
ファクシミリ装置間で行われるファクス通信は、一方のファクシミリ装置から送信された画像データを含むファクス情報が、他方のファクシミリ装置に到達したことを送信元のファクシミリ装置に通達するシステムとはなっていない。このため、送信された画像データが確実に送信相手先で受信されたか否かを確認する手法が必要となる。
【０００３】
そこで、画像データを受信したファクシミリ装置が、送信元のファクシミリ装置に対して送達確認通知をファクスデータ送信として返信することにより、ファクスデータの受信を通知する手法が利用されている。
しかしながら、この場合、画像データの送り手側ユーザがファクス送信後に送信元のファクシミリ装置から離れてしまった場合、この送り手側ユーザは返信された送達確認通知を確認することができない。又は、この場合、送り手側ユーザは、送達確認通知を行うために送信元のファクシミリ装置の設置されている場所まで再び行かなければならない、という不都合がある。
【０００４】
これに対して、送信側ファクシミリ装置が、画像データのファクス送信に際して、受信確認通知の返信先メールアドレスを受信側ファクシミリ装置に通知することにより、受信側ファクシミリ装置が、ファクス受信を行った旨の受信確認通知および受信した画像データを、前記メールアドレスに対して返信するファクシミリシステムが開示されている(特許文献１)。
【０００５】
この場合、受信された画像データを含んだ送達確認通知(受信確認文書)の返信先をファクス送信時に指定できるため、ファクス送信者は、当該ファクス送信者の状況に適した宛先で上記受信確認通知を受信および確認することができる。
【０００６】
又、複数の送信側ファクス端末の電話番号と各電話番号に対応付けられた電子メールアドレスとを記憶した受信側ファクシミリ装置を備え、ファクス受信に際して、ファクス受信を確認した旨の受信確認メールを作成すると共に、対応する電子メールアドレスへ送信するファクシミリ装置が開示されている(特許文献２)。
【０００７】
更に、上記特許文献２のファクシミリ装置は、ファクス受信に際して受信エラーが生じた場合に受信エラーが発生したことを示すエラーメッセージを上記対応する電子メールアドレスへ送信する。
【特許文献１】特開２０００−２７０１８５公報
【特許文献２】特開平１１−２８４８３０公報
【発明の開示】
【発明が解決しようとする課題】
【０００８】
しかしながら、上記特許文献１に記載の従来技術においては、受信確認メールの返信先を送信者側で自由に設定および変更できるため、受信確認メールの返信先の設定によっては、返信先で更に受信確認メールが転送されるなど、ファクス情報および通信情報の漏洩などセキュリティの面における不都合が生じ得る。
【０００９】
又、上記特許文献２に記載のファクシミリ装置においては、受信したファクスに対してファクス受信を確認した旨の受信確認メールの返信を行うため、送信者側では、受信エラーが起こったか否かの確認はできるが、受信側ファクシミリ装置に送信された画像データが確実に受信されたかどうかの確認をすることができないという不都合がある。
【００１０】
［発明の目的］
本発明は、上記従来例の有する不都合を改善し、ファクス情報を受信すると共に当該受信内容を前記ファクス情報の発信者に通知し得るファクシミリ装置、ファクシミリ受信通達方法、およびファクシミリ受信通達プログラムを提供することを、その目的とする。
【課題を解決するための手段】
【００１１】
上記目的を達成するために、本発明に係るファクシミリ装置は、ファクス通信機能およびデータ通信機能を備えた本体部を有するファクシミリ装置であって、予め（ファクス相手端末として）設定されたファクス発信元端末の電話番号とこの電話番号に対応した電子メールアドレスとを記憶する電話帳格納部を備え、前記本体部が、ファクス受信に際し（当該ファクスの）発信元番号を取得する発信元番号取得機能と、前記取得された発信元番号と前記電話帳格納部に記憶された電話番号とが一致する場合にこの電話番号に対応した前記電子メールアドレスに電子メール送信を行うことを認証する電子メール送信認証機能と、前記認証された電子メールアドレス宛に前記（受信された）ファクスの受信内容を送信する受信内容メール送信機能とを有するという構成をとっている。
【００１２】
又、本発明にかかる無線ＬＡＮ端末管理方法は、ファクス受信機能および電子メール送信機能を有するファクシミリ装置が、ファクス情報を受信すると共に前記ファクス情報の発信者に対して受信されたファクス内容を通知するファクシミリ受信通達方法において、前記ファクス情報の着信を示す呼出信号を検出すると共に前記ファクス情報の発信元番号を検出する発信元番号先行検出工程と、前記ファクス情報の受信処理を行うファクス受信処理工程と、前記検出された発信元番号と予め登録された電話番号との一致の有無を判定する番号一致判定工程と、前記発信元番号および電話番号が一致すると判定された場合に、予めこの電話番号に対応して登録された電子メールアドレスに対する電子メールの送信を認証する確認メール送信認証工程と、認証された電子メールアドレス宛に前記格納されたファクス情報を含む電子メール文書を送信する受信確認メール送信工程と、を備えたことを特徴とする。
【００１３】
更に、本発明にかかる無線ＬＡＮ端末管理プログラムは、ファクス受信機能および電子メール送信機能を有するファクシミリ装置が、ファクス情報を受信すると共に前記ファクス情報の発信者に対して受信されたファクス内容を通知するためのファクシミリ受信通達プログラムであって、前記ファクス情報に含まれる発信元番号を検出する発信元番号検出機能、前記受信されたファクス情報の受信処理を行うファクス受信処理機能、前記検出された発信元番号と予め登録された電話番号との一致の有無を判定する番号一致判定機能、前記発信元番号および電話番号が一致すると判定された場合に前記電話番号に対応して登録された電子メールアドレスにメール送信を行うことを認証する確認メール送信認証機能、前記認証された電子メールアドレス宛に前記格納されたファクス情報を含む電子メール文書を送信する受信確認メール送信機能、をコンピュータに実行させることを特徴としている。
【発明の効果】
【００１４】
本発明は、以上のように構成され機能するので、これによると、ファクス受信に際して受信したファクス情報の受信内容を発信者に対して適切に通知することができる、という従来にない優れたファクシミリ装置、ファクシミリ受信通達方法、およびファクシミリ受信通達プログラムを提供することができる。
【発明を実施するための最良の形態】
【００１５】
［実施例］
本発明の一実施例は、図１に示すように、アナログ電話回線網１７およびデジタル回線網２１に接続されたインターネット対応ファクシミリ装置１であって、このインターネット対応ファクシミリ装置１は、アナログ電話回線網１７を介して送り込まれるファクス情報を受信するのに際し、当該ファクス情報の発信元番号を検出するＮＣＵ(網制御部：Network Control Unit)１６と、このＮＣＵ１６を介して上記ファクス情報の受信を行うファクシミリモデム１５と、このファクシミリモデム１５のファクス受信動作を制御するファクシミリモデム制御部１４を備え、当該インターネット対応ファクシミリ装置１は、ＮＣＵ１６を介してアナログ電話回線網１７に接続されている。
ここで、上記インターネット対応ファクシミリ装置１に送り込まれる上記ファクス情報は、少なくとも画像データ、および発信元番号が含まれる通信情報を想定している。
【００１６】
又、インターネット対応ファクシミリ装置１は、上記ファクス情報を取得すると共にインターネット対応ファクシミリ装置１全体の動作制御を行う主制御部１１を有する。更に、この主制御部１１には、上記取得されたファクス情報に含まれる発信元番号を格納する発信元番号格納部１２と、予め通信相手端末として設定された１又は複数のファクス発信元端末の発信元番号および各発信元番号に対応した電子メールアドレスを登録する電話帳登録部１３と、受信されたファクスの受信内容を格納する受信内容格納部２２とが併設されている。
【００１７】
更に、インターネット対応ファクシミリ装置１は、上記取得されたファクス受信内容および発信元番号に基づき、ファクス発信者に送信される受信通知メールの作成を行う電子メール作成部１８と、前記作成された電子メールを上記デジタル回線網２１を介して送信する電子メール送信部１９とを備えた構成となっている。
【００１８】
又、上記ＮＣＵ１６、ファクシミリモデム１５、ファクシミリモデム制御部１４、主制御部１１、電子メール作成部１８、電子メール送信部１９、およびデジタル回線インターフェイス２０により本体部３が構成されている。
【００１９】
以下、これを詳説する。
【００２０】
ＮＣＵ１６は、アナログ電話回線網１７に対する接続インターフェイスとして設けられ、アナログ電話回線網１７を介して送り込まれるファクス情報に先立ち送り込まれる呼び出し信号(以下「リンガー」という)を検出するリンガー検出機能と、リンガーが検出されたことを示すリンガー検出情報を主制御部１１に通知するリンガー検出情報通知機能を有する。
又、ＮＣＵ１６は、主制御部１１からの指示情報に基づいて、前記ファクス情報に含まれる発信元ファクス端末に固有の電話番号(以下「発信元番号」という)を検出する発信元番号検出機能と、当該検出された発信元番号を主制御部１１に通知する発信元番号通知機能を有する。
【００２１】
主制御部１１は、ＮＣＵ１６から通知されたリンガー検出情報に対して、上記ファックス情報の発信元番号の検出を要求する指示情報(発信元番号検出指示要求)を送信する発信元番号検出要求機能と、ＮＣＵ１６から通知された発信元番号を受信すると共に当該発信元番号を発信元番号格納部１２に格納する発信元番号格納機能とを有する。
又、主制御部１１は、ファクス情報の受信を要求するファクス情報受信要求をファクシミリモデム制御部１４に送信する受信指示要求送信機能と、ファクシミリモデム制御部１４を介して受信した画像データを含むファクス情報を受信すると共に、このファクス情報を受信内容格納部２２に格納する受信内容格納機能を備えている。
【００２２】
又、主制御部１１は、電話帳登録部１３内に予め登録された電話番号を読み出す登録電話番号読出し機能と、前記格納された発信元番号を発信元番号格納部１２から読出す発信元番号読出し機能とを備えている。
【００２３】
ここで、主制御部１１は、その内部に前記読み出された電話番号および発信元番号を比較すると共に番号の一致の有無を判定する番号一致判定機能を備えたメール送信認証手段２３を有する。
このメール送信認証手段２３は、前記読み出された電話番号に前記発信元番号と一致する電話番号が含まれている場合、当該電話番号に対応して登録された電子メールアドレスを読出すメールアドレス読出し機能と、この電子メールアドレスに対して電子メールの送信を行うことを認証するメール送信認証機能とを有する。
【００２４】
又、メール送信認証手段２３は、前記発信元番号と共に送り込まれた受信内容(画像データ)を受信内容格納部２２から読み出す受信内容読出し機能と、読み出された受信内容と前記認証された電子メールアドレスとを電子メール作成部１８に通知する受信内容対応アドレス通知機能とを備えている。
【００２５】
発信元番号格納部１２は、上述のように、主制御部１１に併設して設けられ、主制御部１１により取得された発信元番号が格納される記憶領域である。
又、電話帳登録部１３は、インターネット対応ファクシミリ装置１のファクス相手端末として設定された１又は複数の送信元ファクシミリ端末の電話番号および各電話番号に対応した電子メールアドレスが登録された記憶領域である。
更に、受信内容格納部２２は、上述のように、主制御部１１に併設して設けられ、主制御部１１により取得されたファクス情報の画像データを含む受信内容が格納される記憶領域である。
【００２６】
ファクシミリモデム制御部１４は、主制御部１１から送り込まれたファクス情報受信要求に基づき、ＮＣＵ１６を介して送り込まれるファクス情報の受信処理を行うファクス情報受信処理機能を有する。
ここで、ファクシミリモデム制御部１４は、ＮＣＵ１６に併設されると共にファクス情報を受信する機能を有するファクシミリモデム１５の動作を制御することによってアナログ電話回線網１７およびＮＣＵ１６を介して送り込まれるファクス情報の受信処理を行う。
又、ファクシミリモデム制御部１４は、受信された受信内容を主制御部１１に送信する受信内容送信機能を備えている。
【００２７】
電子メール作成部１８は、主制御部１１から通知された(相互に対応する)電子メールアドレスと受信ファクス内容とを受信すると共に
送り先の電子メールアドレスおよび、受信した日時とその受信内容を含んだ電子メールを作成する
ファクス情報を受信した日時、ファクス情報を含む電子メール(ファイル、書類)を作成する電子メール作成機能と、当該作成された電子メールを電子メール送信部１９に通知する送信メール通知機能とを有する。
【００２８】
電子メール送信部１９は、デジタル回線網２１に接続されたデジタル回線インターフェイス２０の動作を制御するインターフェイス制御機能を有し、電子メール作成部１８から通知された電子メール文書を、前記認証された電子メール宛に送信する電子メール文書送信機能を備えている。
【００２９】
［実施例１の動作説明］
次に、上記実施例１の動作について説明する。
【００３０】
先ず、前記ファクス情報の着信を示す呼出信号を検出すると共に前記ファクス情報の発信元番号を検出する(発信元番号先行検出工程)、次いで前記ファクス情報の受信処理を行う(ファクス受信処理工程)、次に、前記検出された発信元番号と予め登録された電話番号との一致の有無を判定する(番号一致判定工程)、次に、電話番号が一致すると判定された場合に、この電話番号に対応した電子メールアドレスに対するファクス受信確認メールの送信を認証する(確認メール送信認証工程)、最後に、認証された電子メールアドレス宛に前記格納されたファクス情報を含む受信確認メールを送信する(受信確認メール送信工程)。
【００３１】
ここで、上記発信元番号先行検出工程、ファクス受信処理工程、番号一致判定工程、確認メール送信認証工程、および受信確認メール送信工程については、その実行内容をプログラム化し、コンピュータに実行させるように構成してもよい。
【００３２】
次に、上記実施例の無線ＬＡＮ端末管理システムの動作を、図２のフローチャートに基づいて説明する。
【００３３】
先ず、ＮＣＵ１６が呼び出し信号(リンガー)を検出すると共に、リンガーの検出を示すリンガー検出通知(情報)を主制御部１１に送信する(ステップＳ１０１)。
主制御部１１は、前記リンガー検出通知に対して、リンガーに続いてＮＣＵ１６に送り込まれる(ファクス)発信元番号の検出を要求する番号検出要求を送信する。
【００３４】
この番号検出要求を受信したＮＣＵ１６は、リンガーに続いて送り込まれる発信元番号を検出する(ステップＳ１０２：発信元番号先行検出工程)と共に、検出された発信元番号を主制御部１１に通知する。
尚、ここで発信元番号が検出されない場合は、インターネット対応ファクシミリ装置１からファクス情報発信元に対しての受信確認メール送信は行われず、ファクス情報の受信処理のみ行われる。
次に、主制御部１１は、通知された発信元番号を発信元番号格納部１２に格納する(ステップＳ１０３)。次に、主制御部１１は、ファクシミリモデム制御部１４に対して画像データを含むファクス情報の受信を要求するファクス情報受信要求を送信する。
【００３５】
ファクシミリモデム制御部１４は、このファクス受信要求に基づきファクシミリモデム１５に送り込まれたファクス情報の受信処理を行う(ステップＳ１０４：ファクス受信処理工程)と共に、受信処理されたファクス情報(以下「受信画像データ」という)を主制御部１１へ通知する。次いで、主制御部１１は、この受信画像データを受信内容格納部１２に格納する(ステップＳ１０５)。
【００３６】
次いで、主制御部１１のメール送信認証手段２３は、発信元番号格納部１２に格納された発信元番号と予め電話帳登録部１３に登録された電話番号との一致の有無を判定する(ステップＳ１０６：番号一致判定工程)。
ここで、一致した電話番号があった場合に、メール送信認証手段２３がこの電話番号に対応して登録された電子メールアドレスに対してメール送信を行うことを認証する(ステップＳ１０７：メール送信認証工程)。
尚、一致しない場合には、この発信元番号に対するメール通知が認証されないため、受信内容の電子メール通知は行われない。
【００３７】
次いで、メール送信認証手段２３は、前記認証された電子メールアドレスと受信内容格納部２２に格納された受信画像データとを電子メール作成部１８に通知する(ステップＳ１０８)。
次に、電子メール作成部１８は、通知された受信画像データおよびファクス受信した日時を含む受信確認メールを作成する(ステップＳ１０９)と共に、この電子メール文書を電子メール送信部１９に渡す。
電子メール送信部１９は、デジタル回線インターフェイス２０を制御することにより、前記受信確認メールをデジタル回線１１介して前記認証電子メールアドレス宛に送信する(ステップＳ１１０：受信確認メール送信工程)。
【００３８】
以上のように、この実施例１によれば、例えば送信元ファクシミリ端末で時刻指定によりファクス送信が行われた場合でも、本発明のファクシミリ装置は、受信内容を含んだ受信確認通知をファクス送信者に対して送信することができる。このため、ファクス送信者は、受信側のファクス受信内容(ファクス送信者にとってのファクス送信結果)を容易に確認することができる。
又、受信確認メールの送信認証を行うメール送信認証手段２３を備えることにより、ファクス情報の漏洩を抑制することができる。
更に、インターネット対応ファクシミリ装置１側で受信確認メールの送信先を決定することができる。これにより、メール送信先を限定することによりセキュリティ面を強化することができる。
【００３９】
又、受信確認メールには、受信内容が含まれるため、受信側であるインターネット対応ファクシミリ装置１で受信された画像データの内容をファクス情報の送信者側で確実に確認をすることができる。
【００４０】
［実施例２］
次に、本発明に係る実施形態２のファクシミリ装置について説明する。ここで、前述した実施例１と同一部分については、同一の符号を付するものとする。
この実施例２は、図３に示すように、前述した実施例１の発信元番号格納部１２に代えて、後述するＴＳＩ電話番号を格納するＴＳＩ電話番号格納部３０を備えると共に、前述した実施例１における構成要素の一部に、下記に示す機能を追加したインターネット対応ファクシミリ装置２である。
【００４１】
以下これを詳述する。
まず、主制御部１１は、ＮＣＵ１６から通知されたリンガー検出情報に対応して、ファクシミリモデム制御部１４にファクス情報の受信を要求するファクス情報先行受信要求を送信する受信内容要求送信機能を有する。
又、主制御部１１は、前記ＴＳＩ発信元情報を受信すると共に当該発信元番号をＴＳＩ電話番号格納部３０に格納する発信元番号格納機能とを有する。
更に、電話帳登録部１３内に予め登録された電話番号を読み出す登録電話番号読出し機能と、前記格納された発信元番号をＴＳＩ電話番号格納部３０から読出すＴＳＩ発信元番号読出し機能とを備えている。
【００４２】
ファクシミリモデム制御部１４は、前述主制御部１１からのファクス情報先行受信要求に基づき、ファクス情報(画像データ)を受信するファクス受信先行処理機能を備え、ファクシミリモデム制御部１４は、ファクシミリモデム１５の動作を制御してファクス情報の受信処理を行う。
【００４３】
ここで、ファクシミリモデム制御部１４は、上記ファクス受信先行処理機能を実行する際に、上記ファクス情報に含まれるＴＳＩ発信元情報(ＴＳＩ：Transmitting Subscriber Identification)を取得するＴＳＩ電話番号取得機能と、取得されたＴＳＩ発信元情報を主制御部１１に通知するＴＳＩ発信元情報通知機能を有する。
【００４４】
これにより、主制御部１１は、受信されるリンガー検出情報に対してファクス情報の受信処理を迅速に開始するように制御することができる。
【００４５】
［実施例２の動作説明］
次に、上記実施例２の動作について説明する。
【００４６】
先ず、前記ファクス情報の着信を示す呼出信号を検出すると共に前記ファクス情報の発信元番号を検出する(発信元番号先行検出工程)、次いで前記ファクス情報の受信処理を行う(ファクス受信処理工程)、次に、前記検出された発信元番号と予め登録された電話番号との一致の有無を判定する(番号一致判定工程)、次に、電話番号が一致すると判定された場合に、この電話番号に対応した電子メールアドレスに対するファクス受信確認メールの送信を認証する(確認メール送信認証工程)、最後に、認証された電子メールアドレス宛に前記格納されたファクス情報を含む受信確認メールを送信する(受信確認メール送信工程)。
【００４７】
ここで、上記発信元番号先行検出工程、ファクス受信処理工程、番号一致判定工程、確認メール送信認証工程、および受信確認メール送信工程については、その実行内容をプログラム化し、コンピュータに実行させるように構成してもよい。
【００４８】
次に、上記実施例の無線ＬＡＮ端末管理システムの動作を、図４のフローチャートに基づいて説明する。
【００４９】
先ず、ＮＣＵ１６が呼び出し信号(リンガー)を検出すると共に、リンガーの検出を示すリンガー検出通知(情報)を主制御部１１に送信する(ステップＳ２０１)。
主制御部１１は、前記リンガー検出通知に対応して、ファクシミリモデム制御部１４にファクス情報(受信画像データ)の受信を要求するファクス受信要求を送信する。
ファクシミリモデム制御部１４は、このファクス受信要求に基づきファクシミリモデム１５に送り込まれたファクス情報の受信処理を行う(ステップＳ２０２：ファクス受信処理工程)。次いで、当該ファクス情報に含まれるＴＳＩ電話番号を検出する(ステップＳ２０３：発信元番号検出工程)と共に、このＴＳＩ電話番号および受信処理されたファクス情報(以下「受信画像データ」という)を主制御部１１に通知する。
【００５０】
尚、ここで発信元番号が検出されない場合は、インターネット対応ファクシミリ装置１からファクス情報発信元に対しての受信確認メール送信は行われず、ファクス情報の受信処理のみ行われる。
次いで、主制御部１１は、この受信画像データをＴＳＩ電話番号格納部３０に格納する(ステップＳ２０４)と共に、前記受信画像データを受信内容格納部２２に格納する(ステップＳ２０５)。
【００５１】
次いで、主制御部１１のメール送信認証手段２３は、ＴＳＩ電話番号格納部３０に格納されたＴＳＩ電話番号と予め電話帳登録部１３に登録された電話番号との一致の有無を判定する(ステップＳ２０６：番号一致判定工程)。
ここで、一致した電話番号があった場合に、メール送信認証手段２３がこの電話番号に対応して登録された電子メールアドレスに対してメール送信を行うことを認証する(ステップＳ２０７：メール送信認証工程)。
尚、一致しない場合には、この発信元番号に対するメール通知が認証されないため、受信内容の電子メール通知は行われない。
【００５２】
次いで、メール送信認証手段２３は、前記認証された電子メールアドレスと受信内容格納部２２に格納された受信画像データとを電子メール作成部１８に通知する(ステップＳ２０８)。
次に、電子メール作成部１８は、通知された受信画像データおよびファクス受信した日時を含む受信確認メールを作成する(ステップＳ２０９)と共に、この電子メール文書を電子メール送信部１９に渡す。
電子メール送信部１９は、デジタル回線インターフェイス２０を制御することにより、前記受信確認メールをデジタル回線１１介して前記認証電子メールアドレス宛に送信する(ステップＳ２１０：受信確認メール送信工程)。
【００５３】
以上のように、この実施例２によっても、例えば送信元ファクシミリ端末で時刻指定によりファクス送信が行われた場合でも、本発明のファクシミリ装置は、受信内容を含んだ受信確認通知をファクス送信者に対して送信することができる。このため、ファクス送信者は、受信側のファクス受信内容(ファクス送信者にとってのファクス送信結果)を容易に確認することができる。
又、受信確認メールの送信認証を行うメール送信認証手段２３を備えることにより、ファクス情報の漏洩を抑制することができる。
更に、インターネット対応ファクシミリ装置１側で受信確認メールの送信先を決定することができる。これにより、メール送信先を限定することによりセキュリティ面を強化することができる。
【００５４】
又、受信確認メールには、受信内容が含まれるため、受信側であるインターネット対応ファクシミリ装置１で受信された画像データの内容をファクス情報の送信者側で確実に確認をすることができる。
【産業上の利用可能性】
【００５５】
本発明は、移動端末の存在台数情報の収集を効率的に行うことができるので、特に施設やビルにおける各部屋の混雑状況把握や人数情報収集等への利用が考えられる。
【図面の簡単な説明】
【００５６】
【図１】本発明によるファクシミリ装置の一実施例の全体を示す概略構成ブロック図である。
【図２】図１に開示したファクシミリ装置における動作処理ステップを示したフローチャートである。
【図３】図１に開示したファクシミリ装置の変形例を示す概略構成ブロック図である。
【図４】図３に開示したファクシミリ装置の一実施例における動作処理ステップを示したフローチャートである。
【符号の説明】
【００５７】
１、２  インターネット対応ファクシミリ装置
１１  主制御部
１２  発信元番号格納部
１３  電話帳格納部
１４  ファクシミリモデム制御部
１５  ファクシミリモデム
１６  ＮＣＵ(網制御部)
１７  アナログ電話回線網
１８  電子メール作成部
１９  電子メール送信部
２０  デジタル回線インターフェイス
２１  デジタル回線網
２２  受信内容格納部
２３  メール送信認証手段
３０  ＴＳＩ電話番号格納部
【図１】
2008288805.tif 000003
【図２】
2008288805.tif 000004
【図３】
2008288805.tif 000005
【図４】
2008288805.tif 000006